(57)【要約】【課題】充電状態ディスプレイの充電状態を修正する方法を提供する。【解決手段】電気駆動式車両のトラクションバッテリ（１００）の充電状態ディスプレイ（ＬＡ）の充電状態（ＬＳ）を修正する方法であって、以下のステップ、すなわち、充電状態ディスプレイ（ＬＡ）に対する車両の運転者の注意力パラメータ（ＡＰ）を検出するステップと、注意力パラメータ（ＡＰ）が注意力閾値（ＡＳ）に届かない場合に、充電状態ディスプレイ（ＬＡ）に表示された充電状態（ＬＳ）を段階的に修正するステップとを含む方法が提供される。【選択図】図１
2018046740.tif 000002
【特許請求の範囲】
【請求項１】
電気駆動式車両のトラクションバッテリ（１００）の充電状態ディスプレイ（ＬＡ）の充電状態（ＬＳ）を修正する方法であって、以下のステップ、すなわち、
前記充電状態ディスプレイ（ＬＡ）に対する前記車両の運転者の注意力パラメータ（ＡＰ）を検出するステップと、
前記注意力パラメータ（ＡＰ）が注意力閾値（ＡＳ）に届かない場合に、前記充電状態ディスプレイ（ＬＡ）に表示された前記充電状態（ＬＳ）を段階的に修正するステップと、
を含む方法。
【請求項２】
正確な充電状態（ＫＬＳ）への、前記表示された充電状態（ＬＳ）の前記段階的修正が、単一ステップで行われることを特徴とする、請求項１に記載の方法。
【請求項３】
前記注意力パラメータ（ＡＰ）には、以下のセンサ値、すなわち、
前記運転者の視線方向と、
前記運転者の前記視線方向の持続時間と、
前記車両の加速挙動と、
前記車両の速度と、
前記運転者の座席の占有と、
前記車両の地理位置情報と、
の少なくとも１つが含まれることを特徴とする、請求項１または２に記載の方法。
【請求項４】
前記表示された充電状態（ＬＳ）の前記段階的修正は、正確な充電状態（ＫＬＳ）と前記表示された充電状態（ＬＳ）との間の差が、差分閾値を超えた場合にのみ行われることを特徴とする、請求項１〜３のいずれか１項に記載の方法。
【請求項５】
前記表示された充電状態（ＬＳ）の前記段階的修正は、前記トラクションバッテリ（１００）の前記正確な充電状態（ＫＬＳ）がバッテリ閾値（ＢＳ）未満の場合にのみ行われることを特徴とする、請求項１〜４のいずれか１項に記載の方法。
【請求項６】
前記表示された充電状態（ＬＳ）の前記段階的修正は、前記正確な充電状態（ＫＬＳ）が、前記表示された充電状態（ＬＳ）未満の場合にのみ行われることを特徴とする、請求項１〜５のいずれか１項に記載の方法。
【請求項７】
前記表示された充電状態（ＬＳ）の前記段階的修正は、前記注意力パラメータ（ＡＰ）が、所定の注意力時間（ＡＴ）にわたって、前記注意力閾値（ＡＳ）未満の場合にのみ行われることを特徴とする、請求項１〜６のいずれか１項に記載の方法。
【請求項８】
前記表示された充電状態（ＬＳ）の前記段階的修正は、最大差を超えないことを特徴とする、請求項１〜７のいずれか１項に記載の方法。
【請求項９】
前記表示された充電状態（ＬＳ）の前記段階的修正は、前記表示された充電状態（ＬＳ）の前の段階的修正からの間隔時間（ＤＴ）が、間隔閾値（ＤＴＳ）を超える場合にのみ行われることを特徴とする、請求項１〜８のいずれか１項に記載の方法。
【請求項１０】
電気駆動式車両のトラクションバッテリ（１００）の充電状態ディスプレイ（ＬＡ）の充電状態（ＬＳ）を修正するための修正装置（１０）であって、前記充電状態ディスプレイ（ＬＡ）に対する前記車両の運転者の注意力パラメータ（ＡＰ）を検出するための検出モジュール（２０）と、前記注意力パラメータ（ＡＰ）が注意力閾値（ＡＳ）に届かない場合に、前記充電状態ディスプレイ（ＬＡ）に表示された前記充電状態（ＬＳ）を段階的に修正するための修正モジュール（３０）とを含み、前記検出モジュール（２０）および前記修正モジュール（３０）は、請求項１〜９のいずれか１項の特徴を有する方法を実施するように設計される、修正装置。
【発明の詳細な説明】
【技術分野】
【０００１】
本発明は、電気駆動式車両のトラクションバッテリの充電状態ディスプレイの充電状態を修正する方法、およびそのような充電状態を修正するための対応する修正装置に関する。
【背景技術】
【０００２】
電気駆動式車両を駆動するための電気エネルギを利用可能にするために、トラクションバッテリが、電気車両に設けられるのは公知である。トラクションバッテリの現在の充電状態に関する情報を運転者に提供するために、そのような車両には、通常充電状態ディスプレイが配置される。充電状態ディスプレイは、計器パネルの領域に設けられることが多く、トラクションバッテリの充電状態を示す。正確な充電状態に関する情報は、運転者にとって重要である。この方法では、運転者は、充電状態を参照して、その充電状態に基づき、車両の残りの走行可能距離がどのくらいかを見積もることができる。運転者はまた、現在の走行スタイルに関する結果、すなわち、この走行スタイルでのエネルギ消費に関する効率を引き出すこともできる。
【０００３】
車両の動作時、すなわち、走行時に、バッテリの充電状態をまとめた形でしか決定することができないのは、公知の問題解決策の欠点である。このまとめて行う決定が長く持続するほど、したがって、車両が長く走行するほど、このまとめて行う決定が、トラクションバッテリの正確な充電状態から外れ得る範囲が大きくなる。トラクションバッテリの正確な充電状態は、基本的に、トラクションバッテリの開回路電圧を測定することで、車両の停止状態でのみ求めることができる。公知の問題解決策では、修正版、したがって正確な充電状態が検出されるとすぐに、表示される充電状態を正確な充電状態に徐々に近づける。これは、表示される充電状態の表示ステップが、車両の運転者に対する不意打ち効果を含むことから行われる。この不意打ち効果は、充電状態ディスプレイの表示される充電状態に対する運転者の信頼を維持するために回避されなければならない。しかし、これは、正確な充電状態と表示された充電状態との間の比較的長い接近時間にわたって、運転者が、トラクションバッテリの充電状態に関する少なくとも部分的に不正確な情報を受け取る状況をもたらす。
【発明の概要】
【発明が解決しようとする課題】
【０００４】
本発明の目的は、上記の欠点を少なくとも部分的に解決することである。特に、本発明の目的は、コスト効果が高く単純な方法で、充電状態ディスプレイ上の充電状態を修正するための段階的な引き上げを可能にすることである。
【課題を解決するための手段】
【０００５】
上記の目的は、請求項１の特徴を有する方法と、請求項１０の特徴を有する修正装置とを用いて達成される。本発明のさらなる特徴および細部は、従属請求項、本明細書、および図面から分かる。これに関連して、本発明による方法に関連して説明される特徴および細部は、当然のことながら、本発明による修正装置に対しても当てはまり、それぞれ逆も同様であり、したがって、常に参照が行われ、本発明の個々の態様の開示を相互的に常に参照することができる。
【０００６】
本発明による方法は、電気駆動式車両のトラクションバッテリの充電状態ディスプレイの充電状態を修正する働きをし、以下のステップ、すなわち、
充電状態ディスプレイに対する車両の運転者の注意力パラメータを検出するステップと、
注意力パラメータが、注意力閾値に届かない場合に、充電状態ディスプレイに表示される充電状態値を段階的に修正するステップと、
を含む。
【０００７】
本発明による方法は、実際上、充電状態ディスプレイ上の表示された充電状態が、トラクションバッテリの正確な充電状態に一致しない問題を解決することも意図されている。したがって、基本的な問題は、先行技術の問題と同じである。しかし、本発明によれば、実際上、別の修正形態が選択される。その結果、段階的な変更が実施される。段階的修正とは、本発明の意図するところでは、特に、徐々に移行する、または連続する態様で行われない充電状態ディスプレイの修正を意味すると解釈されるべきである。例えば、表示された充電状態が、充電状態ディスプレイ上で約６０％の領域にあり、正確な充電状態が４５％の領域にある場合に、先行技術では、修正を行うために、接近時間にわたって６０％から４５％までより素早く落ちる。これとは対照的に、本発明によれば、修正によって、充電状態の正確な値が、１ステップまたは少ないステップ数で、充電状態ディスプレイ上に即座に、または実質的に即座に表示されるという趣旨の段階的修正が実際に行われる。言い換えると、表示される充電状態は、誤った６０％から、直接、または少ないステップ数で、正確な４５％にジャンプする。
【０００８】
急速なジャンプの結果として、運転者が、トラクションバッテリの充電状態に関する誤った情報で運転する時間が不必要に長くなるのを回避することが可能である。ただし、それと同時に、この段階的修正は、状況に応じて実施される。この状況は、注意力パラメータに関係する。
【０００９】
注意力パラメータは、本発明が意図する範囲内では、充電状態ディスプレイに対する運転者の注意力を表す値であると解釈される。そのような注意力パラメータは、最も単純な事例で、計器パネルの方向、または充電状態ディスプレイの方向に対する運転者の視線方向である。したがって、運転者の視線方向は、例えば、疲労監視とも称されるものを用いて検出される。この方法では、目のまばたき、目を閉じていること、または運転者の同様の挙動を検出することもできる。この情報から、注意力パラメータを求めることも可能である。視線方向の場合で、最も単純な事例では、注意力パラメータは、デジタル式の定性的記述、すなわち、運転者が充電状態ディスプレイの方向に目を向けているかどうかに関する記述とすることができる。したがって、運転者が、充電状態ディスプレイから遠い方向を向いた視線方向で車両に配置されている場合に、注意力パラメータは低く、特に０である。運転者が充電状態ディスプレイを見ている場合、その結果、注意力パラメータは高く、相応して１であるのが好ましい。そのように容易に決定可能な、特に、容易に処理可能な注意力パラメータを、対応する注意力閾値と比較することにより、運転者の注意力が、充電状態ディスプレイに、わずかしか、または全く向けられていない場合にのみ、確実に段階的修正を行うようにすることが可能である。
【００１０】
この説明は、注意力パラメータのほんの一例である。当然のことながら、定性的な、または定量的な情報の組み合わせを注意力パラメータに含むこともできる。注意力パラメータの正確な数値に対する純粋に定量的な評価、および関連する注意力閾値も、本発明が意図する範囲内と考えられ、後でさらに詳細に説明される。
【００１１】
この場合に、運転者がこの段階的修正を意識する必要なく、段階的修正が可能になるという趣旨の決定的な利点が本発明によって得られる。これは、具体的には、充電状態ディスプレイ上の充電状態の誤った表示が、特定の時間にわたって許容されなければならないという公知の問題解決策の欠点を解決する。同時に、この欠点は、充電状態ディスプレイの正確性に対する運転者の信頼に悪影響を及ぼすことなく解決される。
【００１２】
本発明による方法において、正確な充電状態への、表示された充電状態の段階的修正が、単一ステップで行われるならば、それは有益であり得る。これは、この修正が、複数の個々のステップではなくて、単一の急速なステップで行われることを意味する。言い換えると、修正は単一動作で行われるので、運転者の注意力が低下する段階が短くても、段階的に所望の修正を行うのにすでに十分である。これは、言わば、本発明による方法を実施する最も迅速な問題解決策である。
【００１３】
本発明による方法において、注意力パラメータには、以下のセンサ値、すなわち、
運転者の視線方向と、
運転者の視線方向の持続時間と、
車両の加速挙動と、
車両の速度と、
運転者の座席の占有と、
車両の地理位置情報と、
の少なくとも１つが含まれる。
【００１４】
上記の列挙は、最終的なリストではない。当然のことながら、様々なセンサ値を合体させて１つの注意力パラメータに結合することもでき、したがって、単一の注意力パラメータは、２つ以上のセンサ値を表す。運転者の視線方向が、注意力パラメータ用のセンサ値としてすでに説明された。しかし、さらに運転者の視線方向の持続時間を含めることもやはり適切であり得る。したがって、運転者が、特定の時間にわたってもはや充電状態ディスプレイを見なかった場合のみ、段階的修正が行われるのを可能にすることは適切であり得る。加速挙動は、運転者の注意力に関する決定的な情報を提供することもできる。運転者が、強く制動をかけるか、または加速段階にある場合に、運転者の注意は、充電状態ディスプレイよりもむしろ周囲および車両に向けられる傾向がある。同じことが、車両の区間速度にも当てはまる。特に、車両が停止している場合に、運転者は、車両の現在の走行状態によって注意を逸らすことがないので、段階的修正が回避される。注意力パラメータからのこの情報は、特に、交通信号灯段階または交通信号灯位置が相互に関係し得る車両の地理位置情報に対応する。最後に重要なこととして、運転者の座席が占有されることで、注意力パラメータ用の決定的な情報が利用可能になる。したがって、例えば、エンジンは回転しているが運転者の座席が占有されていない場合に、運転者の方に注意力に関する懸念が全くないので、所望の段階的修正を即座に行うことが可能である。
【００１５】
本発明による方法において、表示された充電状態の段階的修正が、正確な充電状態と、表示された充電状態との差が差分閾値を超えた場合にのみ行われるならば、さらに有益であり得る。この場合に、当然のことながら、段階的修正は、やはり大きな差がある場合のみ行われる。相応して、情報が不正確であるリスクが低い小差の場合に、徐々に修正する通常の方法を用いることも可能である。一方、充電の表示した状態と修正した状態との間に大差がすでに存在する場合、段階的修正用の本発明による方法が適用される。
【００１６】
本発明による方法において、トラクションバッテリの正確な充電状態がバッテリ閾値未満の場合にのみ、表示された充電状態の段階的修正が行われるならば、さらに有益である。バッテリ閾値は、バッテリの制限範囲と称することもできる。特に、強力な放電に関係するトラクションバッテリの動作可能範囲では、すなわち、正確な充電状態が２０％未満の場合に、実際の正確な充電状態に関する、運転者に向けた正確な情報が決定的に重要である。したがって、段階的修正は、特に、トラクションバッテリの正確な充電状態が、そのようなバッテリ閾値未満の場合に行われる。当然のことながら、方法のそのような実施形態は、他の実施形態と自由に組み合わせることができるし、または、それ以外の場合に、修正を行うために、通常の徐々に移行する接近を含むこともできる。
【００１７】
さらに、本発明による方法において、正確な充電状態が、表示された充電状態未満の場合にのみ、表示された充電状態の段階的修正が行われるならば、それは有益であり得る。特に、車両の運転者が、トラクションバッテリで利用可能な充電量が実際の状況よりもまだ高い状態にあると考えているならば、それはリスクのある状況と考えられる。したがって、特にこの場合に、すなわち、トラクションバッテリの正確な充電状態が、表示された充電状態未満の場合に、段階的修正は、すでに説明した利点を含む。そうでない場合、この場合も通常の方法を使用してもよいし、または本発明の他の実施形態との相互依存を実施してもよい。
【００１８】
本発明による方法において、注意力パラメータが、所定の注意力時間にわたって、注意力閾値未満の場合にのみ、表示された充電状態の段階的修正が行われるならば、それはさらに有益である。したがって、注意力時間は、注意力パラメータが注意力閾値未満である間の持続時間である。これは、注意力パラメータが注意力閾値未満に落ちた場合に、段階的修正が即座に行われるのではなくて、所定の注意力時間を経た後にのみ行われることを意味する。これは、運転者が、言わば、すぐ前の注意深さを覚えており、その後、充電状態ディスプレイを次に見たときに、段階的修正によって、言わば、不意打ちされる状況を回避する。
【００１９】
本発明による方法において、表示された充電状態の段階的修正が、最大差を超えないならば、それは、さらに有益であり得る。したがって、正確な充電状態と表示された充電状態との間に大差がある場合でさえ、修正が段階的に行われる。各これらのステップは、表示された充電状態の段階的修正を含むが、各これらの個々のステップにおいて、最大差は超えられない。したがって、最大差は、段階的修正の最大ステップ幅であると解釈することもできる。
【００２０】
本発明による方法において、表示された充電状態の前の段階的修正からの間隔時間が、間隔閾値を超える場合にのみ、表示された充電状態の段階的修正が行われるならば、それはさらに有益であり得る。これは、段階的修正をすべて特定の間隔で行うことのみ可能であることを意味すると解釈されるべきである。段階的修正が、特定の時間間隔内で行われた場合、間隔時間の所定の時間の間に、任意のさらなる段階的修正を行うことはもはやできない。これは、運転者が、非常に短時間での多数の段階的修正によって困惑しない、または不安にならないことを意味する。
【００２１】
電気駆動式車両のトラクションバッテリの充電状態ディスプレイの充電状態を修正する修正装置も本発明の対象である。そのような修正装置は、充電状態ディスプレイに対する車両の運転者の注意力パラメータを検出する検出モジュールを含む。さらに、注意力パラメータが、注意力閾値に届かない場合に、充電状態ディスプレイに表示される充電状態を段階的に修正する修正モジュールが設けられる。検出モジュールおよび修正モジュールは、特に、本発明による方法を実施するように設計される。したがって、本発明による修正装置は、本発明による方法に関して詳細に説明した利点と同じ利点をもたらす。
【００２２】
本発明のさらなる利点、特徴、および細部が、以下の説明から分かり、以下の説明では、本発明の例示的な実施形態が、図面を参照して詳細に説明される。これに関連して、特許請求の範囲および本明細書で言及される特徴はそれぞれ、それ自体個々に、または任意の望ましい組み合わせで本発明にとって不可欠であり得る。
【図面の簡単な説明】
【００２３】
【図１】本発明による方法を実施するための修正装置を示している。
【図２】図１の実施形態を代替の方法で示している。
【図３】本発明による方法を実施するための図表を示している。
【図４】本発明による方法を実施するための別の図表を示している。
【図５】本発明による方法を実施するための別の図表を示している。
【発明を実施するための形態】
【００２４】
図１は、トラクションバッテリ１００を本発明による修正装置１０にどのように接続することができるかについての概略図である。車両の内部には、この場合にバーディスプレイとして具現化された充電状態ディスプレイＬＡがある。充電状態ディスプレイＬＡとして図示された第１の状態では、充電状態ＬＳが表示されている。このとき、これに基づいて、正確な充電状態ＫＬＳが、表示された充電状態ＬＳと異なっていると修正装置１０が判断した場合、それと並行して、注意力パラメータＡＰが、検出モジュール２０を用いて、この場合はカメラを用いて検出される。この注意力パラメータＡＰが、注意力閾値ＡＳ未満であるとすぐに、正確な充電状態ＫＬＳへの、表示された充電状態ＬＳの段階的修正が、修正モジュール３０を使用して行われ、その結果として、充電状態ディスプレイＬＡは、下方の図に段階的に変わる。
【００２５】
図２は、図１の実施形態の発展型を示している。したがって、この場合に、修正が２ステップで行われ、その結果として、各段階的修正に対する最大差としての最大ステップ幅が超えられることはない。しかし、最終的には、底部の充電状態ディスプレイＬＡの図において、正確な充電状態ＫＬＳが、充電状態ＬＳとして再度表示されている。
【００２６】
図３は、注意力パラメータＡＰと注意力閾値ＡＳとの間の関係がどのように解釈されるべきかを示している。これに関連して、段階的修正は、注意力パラメータＡＰが、特定の注意力時間ＡＴにわたって、注意力閾値ＡＳ未満に配置されるまで行われないと規定することができる。
【００２７】
図４は、正確な充電状態ＫＬＳが、好ましくはバッテリ閾値ＢＳ未満でなければならないことを示しており、その結果として、段階的修正は、この制限範囲内でのみ行うことができる。
【００２８】
図５は、段階的修正をもう一度行うために、行われる２つの段階的修正間の間隔時間ＤＴが、どのようにして間隔閾値ＤＴＳを超えなければならないかについてのあり得る形を示している。
【００２９】
実施形態についての上記の説明は、例の範囲内に限定して本発明を説明している。当然のことながら、技術的に適切な場合に、本発明の範囲から逸脱することなく、実施形態の個々の特徴同士を自由に組み合わせることができる。
【符号の説明】
【００３０】
１０    修正装置
２０    検出モジュール
３０    修正モジュール
１００  トラクションバッテリ
ＡＰ    注意力パラメータ
ＡＳ    注意力閾値
ＬＡ    充電状態ディスプレイ
ＬＳ    充電状態
【図１】
2018046740.tif 000003
【図２】
2018046740.tif 000004
【図３】
2018046740.tif 000005
【図４】
2018046740.tif 000006
【図５】
2018046740.tif 000007
【外国語明細書】
2018046740000001.pdf